【事件の表示】
　特許第３３２１１７４号「ベッドの側部レール」の請求項３７ないし４１に係る特許に対する特許異議の申立てについて、次のとおり決定する。
【結　論】
　訂正を認める。
　特許第３３２１１７４号の請求項３７ないし３８に係る特許を維持する。
【理　由】
〔１〕訂正の適否についての判断
(1)訂正の内容
　特許権者が求めている訂正の内容は、以下のａ〜ｅのとおりである。
　ａ．特許請求の範囲の【請求項37】に記載される「ベッドが、
　基台と、
　前記基台に設置され、相互に動かすことのできる少なくとも頭部と、座部及び足部部材とを含む床と、
　床上のマットレスであって、上方に向いている寝床表面と、前記床の前記頭部と、座部及び足部部材にそれぞれ対応している頭部と、座部及び足部部材とを有しているマットレスと、
　前記床の前記頭部と座部部材の連結部近くの床に付けた標であって、床上の病人の望ましい縦軸方向の腰の位置を指示している標と、
　を具備しているベッド。」を、
「ベッドが、
　基台と、
　前記基台に設置され、相互に動かすことのできる少なくとも頭部と、座部及び足部部材とを含む床と、
　床上のマットレスであって、上方に向いている寝床表面と、前記床の前記頭部と、座部及び足部部材にそれぞれ対応している頭部と、座部及び足部部材とを有しているマットレスと、
　
前記床に結合した身体部材の側部レールと、
前記身体部材の側部レールに付された
　を具備しているベッド。」と訂正する。
　
　ｂ．特許請求の範囲の【請求項38】及び【請求項39】を削除する。
　
　ｃ．特許請求の範囲の【請求項40】を【請求項38】と訂正する。
　
　ｄ．特許請求の範囲の【請求項41】を削除する。
　
　ｅ．特許請求の範囲の【請求項42】〜【請求項67】をそれぞれ【請求項39】〜【請求項66】とするとともに、引用する請求項の番号をこれに合わせて訂正する。
　
(2)訂正の目的の適否、新規事項の有無及び拡張・変更
　上記ａ．の訂正事項について、「
前記床に結合した身体部材の側部レールと、
前記身体部材の側部レールに付された
　
　上記ｂ．及びｄ．の訂正事項は、特許請求の範囲の削除であるから、特許請求の範囲の減縮を目的とするものであり、新規事項の追加に該当しない。
　
　上記ｃ．及びｅ．の訂正事項は、請求項を繰り上げ、かつ番号を整合することであるから、明りょうでない記載の釈明を目的とし、新規事項の追加に該当しない。
　
　そして、いずれの訂正も実質上特許請求の範囲を拡張し、又は変更するものでもない。
　
(3)むすび
　以上のとおりであるから、上記訂正は、特許法第120条の４第２項及び同条第３項において準用する同法第126条第２、３項の規定に適合するので、当該訂正を認める。
　
〔２〕特許異議申し立てについての判断
(1)申立ての理由の概要
　異議申立人・横田秀昭は、
　ア．請求項37〜41に係る発明は、甲第１号証（特開平3-4808号公報）に記載された発明に基づいて当業者が容易に発明をすることができたものであるから、特許法第29条第２項の規定により、特許を受けることができないものであり、
　イ．請求項37、39及び41に係る発明は、特許明細書の発明の詳細な説明に記載された発明ではないから、特許法第36条第６項の規定された要件を満たさないものであり、
　ウ．平成９年７月29日に提出の手続補正書は、願書に最初に添付した明細書又は図面に記載した事項の範囲内においてしたものではないから、新規事項の追加に該当し、特許法第17条の２第３項の規定された要件を満たさないものである、
　と主張している。
　
(2)本件発明
　上記〔１〕で示したように上記訂正が認められるから、本件の【請求項37】、【請求項38】に係る発明（以下、「本件発明37、38」という。）は、上記訂正に係る訂正明細書の特許請求の範囲の請求項37、38に記載された次の事項により特定されるとおりのものである。
【請求項37】（上記〔１〕(1)訂正事項ａ参照。）
【請求項38】「頭部部材が座部部材に対し、寝床表面より上にあるように配置された有効な回動軸のまわりを回動し、人に対する寝床表面のこすれを減少するために、人の腰が回動する軸と有効な回動軸との間の間隔を最小にする人の腰の位置を指示する前記標が配置されているところの請求項37に記載のチェアーベッド。」
　
(3)上記(1)のア．について
　（a）甲第１号証に記載された発明
　甲第１号証には、寝台に関して、図面とともに以下の事項が記載されている。
(a-1)「背床と腰床を支持する第１の床部支持フレームと、足床を支持する第２の床部支持フレームを着脱自在に構成し、背床の腰床側及び腰床の足床側の夫々を前記第１の床部支持フレームに回動自在に支持すると共に、該背床及び腰床の昇降駆動機構を前記第１の床部支持フレームに設けたことを特徴とする寝台」（特許請求の範囲の請求項１）
(a-2)「実施例に於いて、第１の床支持フレーム３と第２の床部支持フレーム５の着脱機構は、夫々のフレーム３，５の隣接部位に形成した嵌合孔８，８’と、該嵌合孔８，８’に夫々嵌合可能な嵌合部９、９’を両端に設けると共に、操作用つまみ部10を設けた取付部材11とから構成している。かかる機構に於いては、嵌合部９，９’を嵌合孔８，８’に嵌合した状態に於いて夫々のフレーム３，５を一体とすることができ、これらを外すことにより、夫々のフレーム３，５を分離することができる。かかる構成の他、着脱機構は適宜である。また、第２の床部支持フレームは脚輪12を設けて移動を容易に構成しており、また第１の床部支持フレーム３は固定式としている。勿論、第１の床部支持フレーム３も脚輪を設けて必要に応じて移動可能とすることもできる。次に、昇降駆動機構Ａ，Ｂは、第１の床部支持フレーム３に、背床１及び腰床２の夫々に対応して支持軸13，13'を回動自在に固定すると共に、該支持軸13，13'に夫々前記背床１及び腰床２を押し上げ可能な支持腕14，14'と駆動腕15，15'を突設し、夫々の駆動腕15，15'を前記第１の床部支持フレーム３間に進退駆動杆16，16'を連結して構成したものである。また背床１及び腰床２に於いて支持腕14，14'により押し上げ支持される個所には支持ローラー17，17'を設けて円滑な動作を可能としている。一方、進退駆動杆16，16'は、ねじシャフト式の構成としており、雌ねじを内蔵した移動筒体18，18'を駆動腕15，15'に回動自在に支持すると共に、一端側を該雌ねじに螺合したねじシャフト19，19'の他端側にモータ20，20'を装置している。かかる進退駆動杆16，16'は油圧シリンダ装置等で構成ることもできる。また、以上の構成の他、昇降駆動機構Ａ，Ｂは、図示は省略しているが、背床１及び腰床２の夫々の下側に押上腕を突設すると共に、夫々押上腕と前記第１の床部支持フレーム３間に前述した構成のような進退駆動杆16，16'を連結して構成することもできる。」（公報第２頁左下欄第９行〜第３頁左上欄第８行）
　以上の記載及び図面の図示内容を総合すると、甲第１号証には、以下の通りの発明が記載されているものと認められる。
「ベッドが、
　第１の床部支持フレームと、
　前記第１の床部支持フレームに設置され、相互に動かすことのできる少なくとも背床と、腰床及び足床とを含む床と、
　床上のマットレスであって、上方に向いている寝床表面と、前記床の前記背床と、腰床及び足床にそれぞれ対応している頭部と、座部及び足部部材とを有しているマットレスと、を具備しているベッド。」
　
　(b)対比・判断
(b-1)本件発明37について
　本件発明37と甲第１号証に記載された発明を対比すると、甲第１号証に記載された発明には、本件発明37が具備する「前記床に結合した身体部材の側部レールと、前記床の前記頭部と座部部材の連結部近くの前記身体部材の側部レールに付された標であって、床上の病人の望ましい縦軸方向の腰の位置を指示している標」を具備していない。
　そして、本件発明37は、かかる点により、「身体部材の側部レール812，814上の腰部回動の標694は、側部554，556の一方からチェアーベッドに入った後に、チェアーベッド50上の腰（図示されていない）の位置付けを最も効果的にするのを助けている。」（特許明細書第22欄第34〜38行参照。）という明細書記載の効果を奏するものと認められる。
　したがって、本件発明37は、甲第１号証に記載された発明に基づいて当業者が容易に発明をすることができたものということはできない。
　
(b-2)本件発明38について
　本件発明38は、本件発明37を引用した発明であるので、本件発明37が甲第１号証に記載された発明に基づいて当業者が容易に発明をすることができない以上、本件発明38も甲第１号証に記載された発明に基づいて当業者が容易に発明をすることができたものとすることはできない。
　
(4)上記(1)のイ．について
　上記〔１〕で示したように上記訂正が認められ、本件発明37は、標が側部レールに設けられており、この点は、特許明細書の発明の詳細な説明に記載されている事項であり、かつ、旧請求項39、41は、削除されたので、異議申立人の主張する上記(1)のイ．の点は解消された。
　
(5)上記(1)のウ．について
　異議申立人は、「本件特許請求の範囲の訂正前の請求項37，38，39及び41に係る発明は、出願時の明細書に記載されたものではなく、その後の手続補正書により追加されたものであり、前記手続補正書による補正は、新規事項の追加に該当する。」（特許異議申立書第12頁第１〜４行）と主張している。
　異議申立人の上記主張のうち、上記〔１〕の(1)により、請求項38，39及び41は、削除されたから、残る上記請求項37に係る発明の補正について検討する。
　異議申立人の主張は、上記請求項37に係る発明の補正について具体的な補正事項を特定していないが、補正の経緯を調べると、平成９年７月29日に提出された手続補正書による補正に関するものであり、具体的には、該補正書で補正した補正書第21頁第19行〜第22頁第２行の請求項47を
「ベッドが、
　基台と、
　前記基台に設置され、相互に動かすことのできる少なくとも頭部と、座部及び足部部材とを含む床と、
　床上のマットレスであって、上方に向いている寝床表面と、前記床の前記頭部と、座部及び足部部材にそれぞれ対応している頭部と、座部及び足部部材とを有しているマットレスと、
　前記床の前記頭部と座部部材の連結部近くの床に付けたラベルであって、床上の病人の望ましい縦軸方向の腰の位置を指示しているラベルと、
　を具備しているベッド。」とすることが該当し、特に「前記頭部と座部部材の連結部近くの床に付けたラベル」及び「腰の位置を指示しているラベル」の２つの事項が、出願当初の明細書又は図面に記載した事項ではないとの主張と解することが妥当である。
　そこで、該２つの事項について、新規事項の追加に該当するか否か検討する。
　出願当初の明細書には、「身体部材の側部レール・・・回動の有効性を最大にするように作用する。」（出願当初明細書第15頁第27行〜第16頁第４行、特許明細書第20欄第10〜15行）、
「チェアーベッド50は、看護者が・・・腰部回動案内体694は、有効な回動軸と人の腰部が回動する軸（図示されていない）との間の間隔を最小にするであろう人の腰の位置を指示し、それによりすべりの減少した回動の有効性を最大にしている。・・・寝床表面552にうまく置くことができるようにしている。」（出願当初明細書第18頁第17行〜第19頁第１行、特許明細書第21欄第43行〜第22欄第６行）、
「また、身体部材の側部レール812，814上の腰部回転案内体694は、・・・最も効果的にするのを助けている。」（出願当初明細書第19頁第25行〜第20頁第２行、特許明細書第22欄第34〜38行）
　、との記載があり、
　側部レールは「前記頭部と座部部材の連結部近くの床」に該当する箇所を含み、「腰部回動案内体694」は、「腰の位置を指しているラベル」に該当するから、平成９年７月29日に提出の手続補正書による補正は、願書に最初に添付した明細書又は図面に記載した事項の範囲内においてしたものといえ、本件発明37は、新規事項の追加に該当するとはいえない。
　　
〔３〕むすび
　以上のとおりであるから、特許異議申立ての理由及び証拠によっては、本件発明37、38の特許を取り消すことができない。
　また、他に本件発明37、38の特許を取り消すべき理由を発見しない。
　よって、結論のとおり決定する。
【異議決定日】
平成１７年５月９日（２００５．５．９）
【訂正の要旨】
審決（決定）の【理由】欄参照。
（５４）【発明の名称】
ベッドの側部レール
（５７）【特許請求の範囲】
　【請求項１】人を支持するためのチェアーベッドであって、頭部端と、足部端及び対向する側部を有するチェアーベッドにおいて前記チェアーベッドが、
　枠体と、
　この枠体に支持され、頭部と、座部及び足部部材とを具備する床と、
この床上に設置され、上方を向いている病人用表面と、前記床の前記頭部と、座部及び足部部材とにそれぞれ対応している頭部と、座部及び足部部分とを有するマットレスと、
　ほぼ水平な降下位置から様々な位置を経て上方へ背部−支持位置へと回動できる前記床の前記頭部部分とその上の前記マットレス部分と、
　ベッドの第１の側部にほぼ平行な上昇位置とほぼ垂直下方に延びている降下−脱落位置との間でベッドの縦軸方向に横断する回動軸のまわりを回動する動きのために、ベッドの第１の側部で床に回動可能に連結された延長された平行な床部材と、
　前記チェアーベッドの各々の側部上の２組の側部レールであって、側部レールの各々の組が、前記床の座部部材と一緒に動くように取付けられ、前記床の頭部と座部部材に横に隣接して延びている身体部材の側部レールと、前記身体部材の側部レールに対して前記床の頭部部材と一緒に動くように取付けられ、前記床の頭部部材のみに隣接して延びている頭部部材の側部レールとを含んでいる２組の側部レールと、かつ
　前記平行な床部材に取付けられ、上昇位置と降下−脱落位置と間で平行な床部材と一緒に動く１つの側部レールと
　を具備しているチェアーベッド。
　【請求項２】前記身体と頭部の側部レールの隣接する表面が、床の頭部部材の全ての位置において実質的に同一の間隔を維持するように配置されているところの請求項１に記載のチェアーベッド。
　【請求項３】マットレスが、チェアーベッドの頭部と、足部及び側部に対応している頭部と、足部及び対向する側部とを含み、病人用表面がマットレスの側部に隣接する側縁部を含み、かつ
　各々の側部レールが、病人用表面の側縁部を越えて人が動くのを防いでいる病人−抑止位置と、床の下の折り込まれた位置との間を動くのに連結されている、ところの請求項１に記載のチェアーベッド。
　【請求項４】側部レールが、頂部を含み、床が上部床と、下部床及び下部床を上部床に結合している側壁部とを含み、かつ側部レールの頂部が、側部レールが折り込まれた位置にある場合に、下部床より上で、上部床より下の水平な平面内にあるように配置されているところの請求項３に記載のチェアーベッド。
　【請求項５】側部レールが、前記床の側壁部に回動可能に取り付けられているところの請求項３に記載のチェアーベッド。
　【請求項６】各々の側部レールが、
　床に連結された取付用ブラケットと、
　側部レールに回動可能に連結された第１端部と、取付用ブラケットに回動可能に連結された第２端部とを有する第１の棒と、
　第１の棒から垂直に離されて間隔をあけられた第２の棒であって、第２の棒が側部レールに回動可能に連結された第１端部と、取付用ブラケットに回動可能に連結された第２端部とを有しており、これにより側部レールが、病人用表面の側縁部を越えて人が動くのを防いでいる病人−抑止位置と、床の下の折り込まれた位置との間を動く場合に、側部レールが病人用表面にほぼ垂直であるようにされている第２の棒と、
　取付用ブラケットに固定されたロッドと、かつ
　側部レールが病人−抑止位置にある場合に、ロッドを受け入れるラッチされた位置と、ロッドから解除された位置との間を動くために、第１の棒に回動可能に連結されたラッチと、
　を含んでいるところの請求項１に記載のチェアーベッド。
　【請求項７】ラッチが第１の棒の方に偏らされており、それにより側部レールが折り込まれた位置から病人−抑止位置まで動かされるときに、ラッチが自動的にロッドに係合するところの請求項６に記載のチェアーベッド。
　【請求項８】各々の側部レールが、ラッチされた位置と解除位置との間でのハンドルの回動軸のまわりの動きのために、第２の棒に回動可能に連結されたハンドルと、ハンドルの回動軸から離れた位置でハンドルに連結された第１の端部とラッチに連結された第２の端部とを有しているリンクとを含んでおり、それによりハンドルが解除位置に動く場合に、ラッチが解除位置へと動くところの請求項６に記載のチェアーベッド。
　【請求項９】床が上部床と凹部とを有する段差床であり、前記マットレスが前記上部床に係合し、前記凹部内に延びている部分を有しているところの請求項１に記載のチェアーベッド。
　【請求項１０】各々の側部レールが、頂部と底部とを含み、かつレールの底部が上部床より上にあるように配置されている病人−抑止位置と、レールの頂部が前記上部床より下にあり、かつ折り込まれた折り込み位置との間で動くことができるところの請求項９に記載のチェアーベッド。
　【請求項１１】側部レールの頂部が、側部レールが折り込まれた位置にある場合に、床の前記凹部の底と同一の水平面よりも上方に位置しているところの請求項１０に記載のチェアーベッド。
　【請求項１２】床板に対する側部レールの角度方向を指示するために、側部レールの１つに取り付けられた角度指示器を更に具備しているところの請求項１に記載のチェアーベッド。
　【請求項１３】角度指示器が、内部の区域を区画形成しているアーチ状の壁を有する筐体と、側部レールの方向を指示するために筐体を通して見ることができるように内部の区域に可動に受け入れられた指示器部材とを含んでいるところの請求項１２に記載のチェアーベッド。
　【請求項１４】前記側部レールの１つが、前記ベッド内の人が使用するための前記レールのベッド側にある第１の複数の第１操作ボタンと、前記ベッドの外の人が使用するための前記レールの外側にある第２の複数の第２ボタンとを含んでいるところの請求項１に記載のチェアーベッド。
　【請求項１５】前記第２の複数のボタンが前記第１の複数より多く、かつ前記第２のボタンが付加機能はもちろん前記第１の機能と同様の機能をももっているところの請求項１４に記載のチェアーベッド。
　【請求項１６】前記第１のボタンの面が、前記ベッド内の人が楽に見られるように前記側部レールの平面に対し前記ベッドの頭部の方に傾けられているところの請求項１４に記載のチェアーベッド。
　【請求項１７】前記レールの前記外側にディスプレイを含んでいる請求項１４に記載のチェアーベッド。
　【請求項１８】前記ディスプレイスクリーンが、前記側部レールの上方から楽に見ることができるように外方に回動可能に前記レールに取り付けられているところの請求項１７に記載のチェアーベッド。
　【請求項１９】頭部端と、足部端及び側部とを有するベッドにおいて、このベッドが、
　床と、前記床上のマットレスと、
　ベッドの第１の側部にほぼ平行な上昇位置と、ほぼ垂直下方に延びている降下−脱落位置との間でベッドの縦軸方向に横断する回動軸のまわりを回動する動きのために、ベッドの第１の側部で床に回動可能に連結された延長された平行な床部材を含んでいる前記床と、
　平行な床部材に結合され、上昇位置と降下−脱落位置との間で平行な床部材と一緒に動くことができる側部レールと、
　を具備するベッド。
　【請求項２０】平行な床部材の頭部端がベッドの第１の側部に回動可能に連結され、それにより平行な床部材の足部端が、上昇位置から降下−脱落位置へと動く場合に、ベッドの頭部端の方に揺動することよりなる請求項１９に記載のベッド。
　【請求項２１】平行な床部材が、その足部端に第１のピンの受け入れ開口を有するラグを含んでおり、床が第２のピンの受け入れ開口を有する壁と、上昇位置で平行な床部材をロックするために並んだときに、第１と第２のピンの受け入れ開口を貫通して延びているピンとを含んでいるところの請求項２０に記載のベッド。
　【請求項２２】マットレスが、チェアーベッドの頭部と、足部及び側部に対応している頭部と、足部及び対向する側部とを含んでおり、病人用表面がマットレスの側部に隣接する側縁部を含んでおり、かつ
　前記側部レールが、病人用表面の側縁部を越えて人が動くのを防いでいる病人−抑止位置と、床の下の折り込まれた位置との間の動きのために、前記平行な床部材に連結されている、
　ところの請求項１９に記載のベッド。
　【請求項２３】側部レールが、
　床に連結された取付用ブラケットと、側部レールに回動可能に連結された第１端部と、取付用ブラケットに回動可能に連結された第２端部とを有する第１の棒と、
　第１の棒から垂直に離されて間隔をあけられた第２の棒であって、第２の棒が側部レールに回動可能に連結された第１端部と、取付用ブラケットに回動可能に連結された第２端部とを有しており、これにより側部レールが病人−抑止位置と折り込まれた位置と間を動く場合に、側部レールが病人用表面にほぼ垂直であるようにされている第２の棒と、
　を含んでいる請求項１９に記載のベッド。
　【請求項２４】側部レールが取付用ブラケットに固定されたロッドと、第１と第２の棒の１つと回動可能に連結され、かつ側部レールが病人−抑止位置にある場合に、ロッドを受け入れるように配置されたラッチとを含んでいるところの請求項２３に記載されたベッド。
　【請求項２５】床が上部床と凹部とを有する段差床であり、前記平行な床部材が上部床の一部であり、かつ前記マットレスが前記上部床に係合し、前記凹部内に延びている部分を有しているところの請求項１９に記載のベッド。
　【請求項２６】側部レールが頂部と底部とを含み、かつ上部床より上にあるように配置されているレールの底部を有する病人−抑止位置と、レールの頂部が上部床の下にあるように配置され、かつ上部床の下に引っ込み置かれた折り込まれた位置との間を動くことができるところの請求項２５に記載のベッド。
　【請求項２７】側部レールの頂部が、側部レールが折り込まれた位置にある場合に、床の凹部の底より上の水平な平面内にあるように配置されているところの請求項２６に記載のベッド。
　【請求項２８】床板に対する側部レールの角度方向を指示するために、側部レールの１つに取り付けられた角度指示器を更に具備している請求項１９に記載のベッド。
　【請求項２９】角度指示器が、内部の区域を区画形成しているアーチ状の壁を有する筐体と、側部レールの方向を指示するために筐体を通して見ることができるように内部の区域に可動に受け入れられた指示器部材とを含んでいるところの請求項２８に記載のベッド。
　【請求項３０】床が平行な床部材の横に隣接する放射線半透過性の部分を含んでいるところの請求項１９に記載のベッド。
　【請求項３１】側部レールが降下−脱落位置に動かされたときに、床より上及び下の蛍光透視設備に近付けるように、側部レールが放射線半透過性の部分から縦方向に移動されるように側部レールが配置されているところの請求項３０に記載のベッド。
　【請求項３２】床がベッドの頭部に隣接する頭部部材を含み、かつ放射線半透過性の部分と平行な床部材とが床の頭部部材内にあるところの請求項３０に記載のベッド。
　【請求項３３】床の頭部部材がほぼ水平な降下位置と、回動可能な背もたせを提供している上方の背部−支持位置と間で動くことができるところの請求項３２に記載のベッド。
　【請求項３４】床が、頭部部材と、座部部材及び足部部材とを含み、平行な床部材が床の頭部部材内にあり、かつ頭部部材がほぼ水平な降下位置と、回動可能な背もたせを提供している上方の背部−支持位置との間で動くことができるところの請求項１９に記載のベッド。
　【請求項３５】頭部部材が座部部材に対し摺動可能に取り付けられ、それにより頭部部材が降下位置から背部−支持位置まで動く場合、頭部部材は座部部材から離れて直線的に動き、上方に回動するところの請求項３４に記載のベッド。
　【請求項３６】座部部材に隣接するベッドに連結され、床の頭部と座部部材の横に隣接して延びている身体部材の側部レールを含んでおり、頭部部材の側部レールと身体部材の側部レールとが、頭部部材の側部レールが、身体部材の側部レールに接触することなく、床の頭部部材と一緒に動くように配置されている請求項３４に記載のベッド。
　【請求項３７】ベッドが、
　基台と、
　前記基台に設置され、相互に動かすことのできる少くとも頭部と、座部及び足部部材とを含む床と、
　床上のマットレスであって、上方に向いている寝床表面と、前記床の前記頭部と、座部及び足部部材にそれぞれ対応している頭部と、座部及び足部部分とを有しているマットレスと、
　
前記床に結合した身体部材の側部レールと、
　前記床の前記頭部と座部部材の連結部近くの
前記身体部材の側部レールに付された
　を具備しているベッド。
　【請求項
３８
　【請求項
３９
　枠体組立体と、
　枠体組立体に支持された床であって、前記床が、頭部と、座部及び足部部材とを含んでいて、ほぼ水平に配置された頭部と、座部及び足部部材を有している水平位置と、座部部材に対しほぼ垂直上方に延在する頭部部材と、座部部材に対しほぼ垂直下方に延在する足部部材とを有し、使用者が足部部材の足部端からベッドを出ることができる着座位置との間で可動である前記床と、
　前記床に支持されたマットレスと、
　頭部部材に結合され、これと一緒に動く第１の側部レールと、
　少なくとも枠体の１つと座部部材とに結合された第２の側部レールであって、前記第２の側部レールが、水平位置と着座位置間での前記床の動作中に、少なくとも座部部材と枠体組立体の１つに対して静止したままであり、かつ前記床が着座位置にあり、使用者がベッドに入ったり、ベッドから出るときに、使用者によって把持される構造となっている前記第２の側部レールと、
　を具備しているベッド。
　【請求項
４０
３９
　【請求項
４１
３９
　【請求項
４２
４１
　【請求項
４３
３９
　【請求項
４４
４３
　【請求項
４５
３９
　【請求項
４６
３９
　【請求項
４７
３９
　【請求項
４８
３９
　【請求項
４９
４８
　【請求項
５０
３９
　【請求項
５１
５０
　【請求項
５２
３９
　【請求項
５３
５２
　【請求項
５４
３９
　【請求項
５５
３９
　【請求項
５６
５５
　【請求項
５７
　枠体と、
　前記枠体に支持された床と、
　前記床に支持されたマットレスと、
　前記枠体と前記床の一方に結合された側部レールであって、前記側部レールが、側壁と、この側壁を前記枠体と前記床の一方に結合するアームとを含んでいて、前記側壁及び前記アームの各々が、縦軸と、この縦軸に沿う縦方向長さとを含んでおり、前記側壁の縦方向長さが、前記アームの縦方向長さよりも大きく、前記側壁が窪みを有している前記側部レールと、かつ
　前記側部レールに結合されたディスプレイスクリーンであって、前記ディスプレイスクリーンが前記窪み内にある第１の位置と、前記ディスプレイスクリーンの大部分が前記窪み外にある第２の位置との間で可動である前記ディスプレイスクリーンと、
　を具備するベッド。
　【請求項
５８
５７
　【請求項
５９
５８
　【請求項
６０
５８
　【請求項
６１
５７
　【請求項
６２
６１
　【請求項
６３
６１
　【請求項
６４
　枠体と、
　前記枠体に支持された床と、
　前記床に支持されたマットレスと、
　前記枠体と前記床の一方に結合された側部レールであって、前記側部レールが、マットレスから離れていて、このマットレスの方を向いている面を有している側壁と前記面内に形成された窪みとを含んでいる前記側部レールと、
　前記側部レールに結合されたディスプレイスクリーンであって、前記ディスプレイスクリーンが前記窪み内にある第１の位置と、少なくとも前記ディスプレイスクリーンの大部分が前記窪み外にある第２の位置との間で可動である前記ディスプレイスクリーンと、
　を具備するベッド。
【発明の詳細な説明】
本発明の背景と要約
　本発明は、ベッドの側部レール、特に病院のベッド又は病人看護のベッドのための側部レールに関する。そのうえ特に、本発明は、水平な寝床表面を有する通常のベッド位置と、床板上又は床板に隣接して人の足があって、人の頭と背中がベッドにより形成される座部より上に支えられる着座位置との両方を達成するのに、ベッドが操作されるような、椅子に変えることができる病院のベッド又は病人看護のベッドのための側部レールに関する。
　病院のベッドの多くは、床板より上の予め決められた高さでベッドの寝床表面を有し、かつ寝床表面に横になっている人が寝床表面の側部を越える動き及びベッドから離れる動きを抑えるために設けられた側部レールを有する形状がとられている。そのような病院のベッドの多くは寝床表面は、床板と寝床表面間の間隔を小さくするために典型的には低くされ、そのようなベッドの寝床表面は、寝床表面上の人の位置を調整するために、しばしば操作される。加えて、これらの病院のベッドの側部レールは、寝床表面上の人が寝床表面にあおむけの姿勢から、ベッド近くの床板上に立ち上っている姿勢になる動きに便利なように、典型的には寝床表面から離れた位置に動かせるようにされている。
　支持表面上の人が支持表面の側部を越える動きを抑えるための側部レールを有するベッド及び診察台は、この技術分野において公知である。例えば、フォスター，Ｌ．デイル外による米国特許第５，０７７，８４３号、ボーダースによる米国特許第５，１５７，８００号、及びセレスチィナ外による米国特許第５，１２９，１７７号を参照のこと。これらの全ては本発明の譲り受け人に指定されている。及びフェランド外による米国特許第５，２７９，０１０号も参照のこと。これらの参考文献の各々は、側部レールを有するベッド又は診察台を開示している。ウェイスミラー外による１９９５年８月４日に出願された米国特許出願番号ＮＯ．０８／５１１，７１１号の発明の名称“チェアーベッド”もまた参照のこと。その明細書も参考文献としてここに組み入れている。
　本発明によれば、人を支えるベッドは、頭部端、足部端と対向する側部とを有し、特有の側部レールの配置を含むベッドが提供される。ベッドは、枠体とその枠体上に支持された床を有し、この床は頭部、座部及び足部部材を具備している。マットレスが人をクッションで支えるために床上に設置される。マットレスは、上方に向いている支持表面と、床の頭部、座部及び足部部材にそれぞれ対応している頭部、座部及び足部部分とを有している。
　床の頭部部材とその上のマットレス部分は、枠体に対して、ほぼ水平の位置から上方に様々の位置を経て背部−支持位置まで回動できる。床の足部部材とその上のマットレス部分は、ほぼ水平の上昇位置から下方に様々の位置を経て、ほぼ垂直下方に延びていて、人の下の脚部のためのすきまを与える降下位置まで回動できる。
　ベッドは更に、前記ベッドの各側部上に一組の側部レールを含んでいる。側部レールの各組は、床の座部部材と一緒に動くように設けられた身体部材の側部レールを含んでいる。身体部材の側部レールは、床の頭部と身体部材に隣接して延びている。側部レールの各組は、身体部材の側部レールに対して床の頭部部材と一緒に動くように設けられた頭部部材の側部レールをもまた含んでいる。頭部部材の側部レールは、床の頭部部材にのみ隣接して延びている。各々の側部レールは、頂部と底部とを有し、好ましくは、ベッドの側部に隣接してほぼ垂直の方位に維持されている。
　好ましい実施の形態においては、ベッドは基台枠体と、この基台枠体に連結された中間枠体と、この中間枠体の連結された重量枠体及びこの重量枠体に連結された関節床とを含んでいる。関節床は、縦軸方向に間隔があけられた頭部、座部、大腿部及び足部部材を有している。頭部、大腿部及び足部部材は、相互に動くことができ、重量枠体に対し固定されている座部部材に対して動くことができる。頭部、大腿部及び足部部材は、これらの動きの範囲内でベッドがどんな望ましい位置にでもとり得るように無限に調整でき、こうして、ベッド上の人の姿勢の変化に順応する。例示の関節床は、平坦で水平な寝床表面と、ベッドの頭部端か又はベッドの足部端のどちらかの方に傾けられた平坦な寝床表面及び非平坦で椅子形状の着座表面と、さらに加えてこれらの中間の位置とを提供することができる。さらに、もっと詳しく後述されているように、例示のかつ好ましい床は、“段差床（ステップデッキ）”であり、それは、下部床と下部と上部床に結合している側壁とによって区画形成され、中央の縦軸方向に延びている凹部を含むように形成された上部床を有している。
　頭部部材の側部レールは、典型的には関節床の頭部部材と一緒に動くように設置され、頭部部材が降下位置と背部−支持位置間を動くにつれ、頭部部材に一緒に動く。身体部材の側部レールは重量枠体に対し固定されている。頭部部材と身体部材の側部レールは、頭部部材の側部レールが身体部材の側部レールに対して動くに従って、約２〜３インチ（５．１〜７．６ｃｍ）のレール間の間隙を維持するような形状とされている。また好ましい実施の形態においては、頭部部材の側部レールは、身体部材の側部レールよりも短く、かつ頭部部材の側部レールを支持体として用いている側部から、人がベッドに入り、寝床表面上に彼又は彼女の腰部をきちんと位置付かせることを可能とする典型的な側部レールよりも短くなっている。
　側部レールは、寝床表面上の人が寝床表面の側部を越える動きを抑える上方に上げた病人−抑止位置と下方に折り込まれた位置との間で各々動くことができる。病人−抑止位置にある場合は、側部レールの底部は、上部床の側部部分より上にあるように配置され、側部レールはマットレスの側部に隣接している。折り込まれた位置にある場合は、側部レールの頂部は、上部床の側部部分と下部床を上部床の側部部分に結合している側壁部とによって区画形成された窪みの中の上部床の側部部分より下にあるように配置されている。
　病人−抑止位置と折り込まれた位置と間で動く場合、側部レールは、ベッドの側部から離れて病人−抑止位置から外方かつ下方に回動し、それから上部床部分より下の折り込まれた位置まで後方内側かつ下方に回動する。側部レールは、折り込まれた位置から病人−抑止位置まで動くときは、同じ道をたどる。動きの全範囲にわたって、マットレスの側部に平行で、垂直な方向に側部レールを保持している回動機構は、側部レールが病人−抑止位置にある場合にマットレスの側部に対して側部レールを配置し、ベッドのマットレスが標準の幅を有していても、別の方法で提供されるよりも狭いベッドを提供することができる。
　段差床と側部レールの特徴とを協同させているベッドを提供させるという本発明の別の目的もまだある。ベッドは、頭部端と、足部端と２つの対向する側部とを有し、枠体とこの枠体に支えられた床とを具備している。床は、上部床部分と、上部床部分内で中央の縦軸方向に延びている凹部とを含んでいる。凹部は、下部床部分と、下部と上部床部分に結合している壁部とにより区画形成されている。更にベッドは、上部床部分より下のベッドに連結され、上部床部分より上の病人−抑止位置と上部床部分より下の折り込まれた位置とに置くことができる側部レールを含んでいる。側部レールが折り込まれた位置にある場合、側部レールと床板との間隙は最大とされる。折り込まれた位置にある場合の床より下の側部レールの配置は、看護者が人をベッドに出入させる場合の人の姿勢を改善するのを助けている。
　ベッドのマットレスは、床の側部に沿って上部床部分に係合している薄いマットレス部分と、人がベッドに支えられている間、人の体重の大部分を支えるマットレスの区域内のより厚いマットレス部分とを含んでいる。結果として、上部床の側部部分は、段差床の底部よりもさらに床板から離れている。このことが、側部レールが段差床のないベッド上に見られるよりもさらに床板から離れて設けられるようにしている。この配置が、床の下に接近するための、例えば床の上下に一部があるＣ−アームのような設備のための側部レールと床板との間の付加的な障害物のない空間を与えている。
　加えて、側部レールが病人−抑止位置にあるときに、各々の側部レールの底部と各々の上部床の頂部間の間隔は、段差床が使用される場合には最小にされる。側部レールは、床より上に配置され、マットレスの側部に隣接する。従来の床と、均一な厚さの従来のマットレス及び本発明のベッドに見られるのと同様の寝床表面に対する高さで設けられた側部レールとを有するベッドが、本発明に見られるよりももっと従来の床から離れている側部レールの底部をも有し、その結果側部レールの底部と従来の床との間により大きな隔たりが生じる。段差床の使用が、側部レールの底部により近くなるように配置される上部床部分を提供しており、これにより床と側部レールの底部間の間隙を最小にし、人がこの間隙を通って滑り落ちる可能性を最小にしている。
　頭部端と、足部端と、側部及び分離した側部レールの特徴とを有するベッドを提供することもまた、本発明の目的である。ベッドは、ベッドの第１の側部にほぼ平行な上昇位置と、ほぼ垂直下方に延びている下降−脱落位置との間で動くために、床に回動可能に連結された平行な延長床部材を有する床を含んでいる。側部レールは、平行な床部材に結合され、これと一緒に上昇位置と下降−脱落位置との間を動く。好ましい実施の形態においては、それから側部レールは病人−抑止位置と折り込まれた位置との間を回動し、平行な床部材が上昇位置と下降−脱落位置間を揺動するときに、側部レールもまた折り込まれた位置と下降−脱落位置間を揺動する。
　好ましい実施の形態においては、そのようなベッドは、床の頭部部材と一緒に動くことができる頭部部材の側部レールと、床の座部部材と協同する身体部材の側部レールとを含む床の各々の側部上の側部レールを具備する。これらの側部レールは、マットレスより上の位置からマットレスより下の位置まで動くことができる。ベッドは、頭部部材の側部レールが下降−脱落位置まで揺動でき、身体部材の側部レールが下降−脱落位置まで揺動できないように配置される。
　これらの“分離された側部レール”の各々は、側部レールの頂部が寝床表面より下にあるように配置されている折り込まれた位置から、取付用ブラケットと側部レールとがベッドの頭部端に垂直に隣接するように配置されている下降−脱落位置まで揺動する。分離された側部レールが下降−脱落位置にあるとき、段差床より下のベッド部分へ、看護者は、最大に接近できる。この接近は、Ｘ線写真撮影設備のような設備を支えるＣ−アームの段差床を横断する距離を最大にするのにも使用される。Ｃ−アームは典型的には段差床の上方と下方の両方に設備の一部をもつ。
　側部レールに特別に取り付けられた機械的な角度指示器を有する人を支えるためのベッドを提供することも、本発明の更なる目的である。ベッドは、頭部、足部及び対向する側部とを有し、第１の側部と第２の側部とを有する関節床を含んでいる。第１の側部と第２の側部と共に上方に面している支持表面を有するマットレスは、床上に支持されている。側部レールは床の側部に連結され、ベッド上の人が支持表面の側部を越える動きを抑止する病人−抑止位置に配置することができる。角度指示器が、床板に対する側部レールの角度方向を指示するために、側部レールに結合される。
　好ましい実施の形態においては、関節床は、ほぼ水平な降下位置と回動可能な背もたせを与える上方への背部−支持位置との間を動くことができる頭部部材を有している。頭部部材の側部レールは角度指示器を与えることができ、角度指示器は頭部部材の側部レールに結合され、それにより頭部部材が降下位置と背部−支持位置との間を回動するに従い、側部レールとこれに結合された角度指示器もまた動く。角度指示器が動くと、それは、頭部部材の位置と一緒に変化する指示を与える。このように側部レール上の角度指示器の設置により、看護者に対し角度指示器の角度方向及び頭部部材の位置の、簡単に見ることができる指示を与えている。
　加えて、床は、基台より上に支持され、基台に対し可動である枠体によって支持されている。側部レールは枠体に連結され、それにより側部レールと角度指示器とは、枠体が基台に対して動くように動く。角度指示器は、枠体の位置と一緒に変化する指示を与えるように配置されている。身体部材の側部レール上に角度指示器を備えることが、看護者に対して枠体の位置、それから床板に対する床やその上に支持される寝床表面の位置の、簡単に見ることができる指示を与えている。
　操作装置を取り付けた特有の側部レールを含むベッドを提供することも、本発明の更なる目的である。ベッドは、頭部、足部及び対向する側部とを有している。ベッドは、第１の側部と第２の側部とを有する関節床とこの床上に支持されたマットレスとを含んでいる。マットレスは、上方に面している支持表面と、第１の側部及び第２の側部とを有している。側部レールは床の側部に連結され、かつベッドには、ベッド内の人が使用できるように、側部レールのベッド側上に第１の複数の第１操作ボタンがさらに提供されている。ベッドには、ベッド外の人が使用できるように、側部レールの外側上に第２の複数の第２ボタンもまた提供されている。
　側部レールの片側又は両側にディスプレイスクリーンが提供される。好ましくは、ディスプレイスクリーンは、たやすく見られ、外方に回動できるように側部レールに取り付けられる。例えばディスプレイスクリーンは、ベッドの外側の人が使用できるように側部レールの外側に取り付けられ、ディスプレイスクリーンの頂部に隣接する回動軸のまわりを上方に回動できるように配置される。そのようなディスプレイスクリーンは、側部レールが下方に折り込まれた位置にあるときでさえ、ベッドの隣りに立っている人がたやすくディスプレイスクリーンを見ることができるようにしている。
　加えて、側部レールのベッド側上の複数の操作ボタンは、側部レールの平面に対してベッドの頭部端の方に傾けられた面を有している。このボタンの角度が、ベッドの寝床表面上に横になっている人がボタンの面をたやすく見ることができるようにしている。
　特有の腰部の回動の標を含むベッドを提供することもまた、本発明の目的である。ベッドはほぼ平坦なベッド位置を有し、人がベッドの足部端から外に出るのを許容している着座位置に変えることができる。チェアーベッドは、基台とこの基台上に取り付けられた床とを含み、少くともほぼ平坦なベッド位置と上昇した着座位置との間でお互に対し動くことができる頭部、座部及び足部部材とを含んでいる。マットレスが床上に設けられ、かつ上方に面している支持表面と、前記床の前記頭部、座部及び足部部材にそれぞれ対応し、かつ一緒に動く頭部、座部及び足部部分とを有する。平坦な位置での病人−支持表面上の人の腰部の位置を示す標が、支持台上に与えられる。
　本発明の更なる目的、特徴及び利点は、明らかに理解されるように本発明を実行する最上の形態を例示している好ましい実施の形態の以下の詳細な説明を考慮することにより、当業者であれば明らかとなるであろう。
図面の簡単な説明
　詳細な説明は、特に添付図面を参照している。
　図１は、本発明によるチェアーベッドの概略図であり、チェアーベッドから分離された身体部材の側部レールと、頭部部材の側部レールと床の縦横方向の側面に沿って配置された身体部材の側部レールと、閉鎖位置での足部揺動ゲートとを示している。
　図２は、図１と同様の図であり、背部−支持位置へと上方に動かされた関節床の頭部部材と、僅かに上方に傾けられた床の大腿部部材と、ほぼ垂直下方に延びている降下位置に動かされた床の足部部材と、萎んだマットレスの足部部分と、チェアーベッドに隣接する折り込まれた１方の揺動ゲートをもつ開口位置へと動かされた揺動ゲートとを有する着座位置でのチェアーベッドを示している。
　図３は、図１のチェアーベッドの略図であり、床板より上の予め決められた第１の間隔を保持した上面に面している寝床表面を有するマットレスと、ほぼ平坦な配置に寝床表面を支持している初期の位置にある床と、第１の長さである足部部材とを含んでいるベッド位置でのチェアーベッドを示している。
　図４は、降下位置でのチェアーベッドを示している略図である。
　図５は、傾斜（トレンデレンブルグ）位置でのチェアーベッドを示している略図である。
　図６は、逆の傾斜（トレンデレンブルグ）位置でのチェアーベッドを示している略図である。
　図７は、床の初期の位置から僅かに上方に回動された床の頭部部材の頭部端と、床の初期の位置にある座部部材によって定められた水平平面内にあるように配置された座部部材と、床が初期の位置にあるときに足部部材の足部端が、足部部材の位置より下にあるように僅かに傾けられた足部部材とを有する中間の位置にあるチェアーベッドを示している略図である。
　図８は、座部部材から離れて上方に、背部−支持位置まで回動された頭部部材の頭部端と、初期の床位置のようにほぼ水平に横になっている座部部材と、上方に上げられている大腿部部材と、大腿部部材から下方に延びており、第２のより短い長さである足部部材と、足部部材上の萎んでいるマットレス部分とをもつ着座又は椅子位置におけるチェアーベッドを示している。
　図９は、切り離された部分をもつ図１のチェアーベッドの分解概略図である。
　図１０は、図１のチェアーベッドの概略の側面図であり、図３のベッド位置でのチェアーベッドと、頭部部材の側部レールと身体部材の側部レールとを示している。
　図１１は、図１０と同様の概略の側面図であり、図７の中間位置にまで上げられたチェアーベッドの関節床の頭部部材を示している。
　図１２は、図１０と同様の概略の側面図であり、図８の背部−支持位置での頭部部材を示している。
　図１３は、病人−抑止位置での側部レールを図１の線１３−１３に沿って切断した断面図である。
　図１４は、図１３の病人−抑止位置の中間にある側部レールの図１３と同様の断面図であり、降下−外方−方向位置（仮想線で示されている）が寝床表面より下に側部レールの頂部を有している。
　図１５は、切り離された側部レールを含む図１のチェアーベッドの関節床の頭部部材の分解図である。
　図１６は、機械的な角度指示器を有している本発明による頭部部材の側部レールをベッドの外側から見た正面図である。
　図１７は、図１６の線１７−１７に沿って切断した断面図であり、機械的な角度指示器を示している。
　図１８は、機械的な角度指示器と回動可能なディスプレイとを有している本発明による身体部材の側部レールをベッドの外側から見た概略図である。
　図１９は、図１８の線１９−１９に沿って切断した断面図であり、回動可能なディスプレイを示している。
　図２０は、図１８の線２０−２０に沿って切断した断面図であり、側部レールの内側の病人用の操作ボタンを示している。
　図２１は、図２０の線２１−２１に沿って切断した断面図であり、病人用の操作ボタンを示している。
例示と好ましい実施の形態の詳細な説明
　頭部端５２と、足部端５４及び側部５６，５８とを有する本発明によるチェアーベッドが、図１に示されている。この説明で用いられるように、語句“頭部端５２″は、チェアーベッド５０の最も近くの頭部端５２にあるように配置されているどんな言及される対象物の端部をも表すのに使用される。同様に、語句“足部端５４″は、チェアーベッド５０の最も近くの足部端５４にあるように配置されているどんな言及される対象物の端部をも表すのに使用される。
　チェアーベッド５０は、図１と９で示されるように昇降腕部材３２０，３２２，３２４，３２６によって中間の枠体モジュール３００に結合された基台枠体６２を有する基台モジュール６０を含んでいる。関節床／重量枠体モジュール４００が、負荷ビーム（図示されていない）によって中間枠体モジュール３００に連結される。側部レール組立体８００，８０２，８０４，８０６と足部揺動ゲート６２２を有する拡大した枠体モジュール６１０とは、関節床／重量枠体モジュール４００に連結される。マットレス５５０が関節床／重量枠体に支えられ、人（図示されていない）を受け入れるような形状とされた寝床表面又は支持表面５５２を具備している。
　チェアーベッド５０は、看護者又は油圧装置モジュール１００を用いる寝床表面５５２の人（図示されていない）によって操作され、それによりマットレス５５０と、中間枠体モジュール３００の中間枠体３０２及び関節床／重量枠体モジュール４００の関節床４０２とが、位置の変化をし、そのいくつかが図３〜８に概略で示されている。
　関節床４０２は、頭部部材４０４と、座部部材４０６と、大腿部部材４０８及び足部部材４１０とを含んでいる。マットレス５５０が床４０２上に支持され、かつ頭部部分５５８と、座部部分５６０と、大腿部部分５６２及び足部部分５６４とを含んでおり、それらの各々は、ほぼ床４０２の同様の命名部分と対応しており、かつそれらの各々は寝床表面５５２上の人の頭、座部、大腿部及び足とほぼ結び付けられている。床４０２とマットレス５５０の詳細は後述されるであろう。
　チェアーベッド５０が、寝床表面５５２が平坦で水平であるように配置された床４０２を有するベッド位置であるとすると、図１に示され、図３に概略で示されているように床４０２の初期の位置を区画形成している。ベッド位置においては、寝床表面５５２は床板より上の予め決められた第１の間隔５６６にある。チェアーベッド５０が、初期の位置にある床４０２の床板より上の予め決められた第１の間隔５６６よりは小さい第２の間隔５６８の寝床表面５５２とを有する図４に概略で示された低い位置にするために操作される。関節床４０２の足部部材４１０は、床４０２が初期の位置にある場合は、第１の長さ４６５を有する。
　チェアーベッド５０は、平坦な配置にある床４０２を傾けた、図５に概略で示された傾斜位置に動かすことができ、それにより寝床表面５５２の頭部端５２は、寝床表面５５２の足部端５４よりも床板近くにあるように配置される。チェアーベッド５０はまた、平坦な配置にある床４０２を傾けた、図６に概略で示された逆の傾斜位置にもすることができ、それにより寝床表面５５２の足部端５４は、寝床表面５５２の頭部端５２よりも床板近くにあるように配置される。
　前述したように、チェアーベッド５０は図２に示され、図８に概略で示されるように着座位置に変えることもできる。着座位置においては、床４０２の頭部部材４０４の頭部端５２は、中間枠体３０２から離れて上方に、回動可能な背もたせを与える背部−支持位置まで回動され、それにより頭部部材４０４と中間枠体３０２とは、約５５〜９０度間の角度５１２を形成するようになる。床４０２の座部部材４０６は初期の位置におけるようにほぼ水平になるように配置され、大腿部部材４０８の足部端５４は僅かに上方に傾けられ、床４０２の足部部材４１０は大腿部部材４０８からほぼ垂直下方に延びて、床４０２が初期の位置にある場合よりも短い長さ４６４である。マットレス５５０の足部材部５６４は膨らますことができ、チェアーベッド５０が着座位置にある場合には、萎んだ状態にある。マットレス５５０の足部部分５６４は、膨らんだ場合より、萎んだ場合の方がより薄く、短くなっている。
　チェアーベッド５０は、床４０２の頭部、大腿部及び足部部材４０４，４０８，４１０が図３と８に示されるこれらの中間にある位置をとることができる。例えばチェアーベッド５０は図７に概略で示される中間位置をとることができ、この場合、床４０２の頭部部材４０４の頭部端５２は初期の位置から僅かに上方に回動され、座部部材４０６は初期の位置のようにほぼ同じ水平平面にあるように配置され、大腿部部材４０８の足部端５４は初期の位置から僅かに上方に上げられ、足部部材４１０はその足部端５４が足部部材４１０の頭部端５２より下方になるように傾けられている。
　関節床／重量枠体モジュール４００は、図３〜９に示されるように関節床４０２の４つの部材、即ち頭部部材４０４、座部部材４０６、大腿部部材４０８及び足部部材４１０の上で支えているマットレスを含んでいる。関節床４０２の部材４０４，４０６，４０８，４１０は、マットレス５５０の寝床表面５５２上の人の姿勢を変化させるために動かすことができる。
　側部レール組立体８００，８０２，８０４，８０６は、図１，２，９と１３〜１５に示されるようにチェアーベッド５０の両側面に取り付けられた受動的な抑止装置である側部レール８０８，８１０，８１２，８１４を含んでいる。上方に上げられた病人−抑止位置においては、側部レール８０８，８１０，８１２，８１４は、人が寝床表面５５２の側部５５４，５５６を越える動きを抑えるために、寝床表面５５２より上に延びている垂直の棚であり、これにより人がチェアーベッド５０から転落するのを防ぐことができる。側部レール８０８，８１０，８１２，８１４は、チェアーベッド５０への入場と退出時に、人を寝床表面５５２の側部５５４，５５６を越えて動かせるようにするため、又は看護者が病人に障害なく近づけるようにするために、マットレス５５０の寝床表面５５２より下になるように低くすることもできる。
　各々の側部レール８０８，８１０，８１２，８１４を低くすることは、解除ハンドル８６２を引くことによって行える。解除ハンドル８６２を引いた後に、看護者は解除ハンドル８６２から手を放し、側部レール８０８，８１０，８１２，８１４を下方に回動させ、床４０２の下の折り込まれた位置に折り込むようにする。各々の側部レール８０８，８１０，８１２，８１４が下方に回動する速度は、機械的なダンパー８６８によってなるべく調節される。側部レール８０８，８１０，８１２，８１４を上げるために、看護者は側部レール８０８，８１０，８１２，８１４を、それらが病人−抑止位置にロックされるまで上方に引き上げる。
　図示したようにチェアーベッド５０上に４つの側部レール８０８，８１０，８１２，８１４がある。２つの頭部部材の側部レール８０８，８１０は、関節床４０２の頭部部材４０４に取り付けられ、２つの身体部材の側部レール８１２，８１４は床４０２の座部部材４０６と一緒に動くかとどまるかするように取り付けられ、座部部材４０６と側部レール８１２，８１４とは重量枠体５０６に対して固定されている。
　側部レール８０８，８１０，８１２，８１４には、床板に対する側部レール８０８，８１０，８１２，８１４の角度方向の指示が見られるような機械的な角度指示器９３８が設置される。頭部部材の側部レール８０８，８１０は、頭部部材４０４が降下位置と背部−支持位置との間で回動するに従い、床４０２の頭部部材４０４と一緒に動き、それにより頭部部材の側部レール８０８，８１０に取り付けられた角度指示器９３８は、頭部部材４０４の角度方向をほぼ指示している。同様に、身体部材の側部レール８１２，８１４は、中間枠体３０２に対してある角度方向にほぼ固定されており、それにより身体部材の側部レール８１２，８１４に取り付けられた角度指示器９３８は、中間枠体３０２の角度方向をほぼ指示している。
　身体部材の側部レール８１２，８１４には、看護者が寝床表面５５２上の人（図示されていない）の腰部（図示されていない）をきちんと位置付けするのを助けるために、図１０〜１２に示されるように腰部回動の標６９４もまた設置されている。腰部の正しい位置付けは、すべての減少した回動の有効性を最大にするように作用する。
　受動的な抑止として役に立つほかに、側部レール８０８，８１０，８１２，８１４は、看護者の操作装置１０２８、病人の操作装置１１５６及び娯楽用モジュールのための設置場所としてもまた役に立つ。これらのモジュールは、人間のインターフェースの操作モジュールとして参照される。これらのインターフェースの操作モジュールは、どんなスイッチの起動による発生物をも電子ネットワークに出力する。加えて、側部レール８０８，８１０，８１２，８１４は、病人と看護婦とのコミニュケーション（図示されていない）及び娯楽の音声出力（図示されていない）を与える必要なハードウェアをかなり含んでいる。
　関節床４０２の頭部、座部、大腿部及び足部部材４０４，４０６，４０８，４１０は、図９と１３〜１５に最もよく示されるように段差床４１２を区画形成するのに協力している。段差床４１２は、頭部部材４０４の頭部端５２に付加された頭部端の上部床部材４１６と、頭部、座部及び大腿部部材４０４，４０６，４０８の側部に付加された側部の上部床部分４１８，４２０，４２２，４２４，４２６，４２８と、大腿部部材４０８に隣接する重量枠体５０６の足部端５４に付加された足部端の上部床部分４６０とを有する上部床４１４を含んでいる。上部床部分４１６，４１８，４２０，４２２，４２４，４２６，４２８，４６０と足部部材４１０の頂部表面４１１とは、関節床４０２が初期の位置にある場合は、同じ平面であり、重量枠体５０６にほぼ平行である上部床４１４を形成するのに協力している。
　段差床４１２は、頭部薄板４３２、座部薄板４３４及び大腿部薄板４３６とを有する下部床４３０をもまた含んでいる。頭部、座部及び大腿部薄板４３２，４３４，４３６は、関節床４０２が初期の位置にあるときは、同じ平面にあり、それらは、関節床４０２が初期の位置にあるときは、重量枠体５０６と上部床４１４にほぼ平行である下部床４３０を形成するのに協力している。
　下部床４３０は、図９に示されるように頭部薄板４３２を頭部端の上部床部分４１６に結合している頭部端壁部４４０と、頭部、座部及び大腿部薄板４３２，４３４，４３６を側部の上部床部分４１８，４２０，４２２，４２４，４２６，４２８に結合している側壁部４４２，４４４，４４６，４４８，４５０，４５２と、大腿部薄板４３６を足部端の上部床部分４６０に結合している足部端壁部（図示されていない）とを含んでいる壁部４３８によって、上部床４１４に結合されている。それから、段差床４１２は上部床４１４を具備し、下部床４３０と下部床４３０を上部床４１４に結合している壁部４３８とによって区画形成された中央の縦軸方向に延びている凹部４５６を含むように形成される。好ましい実施の形態においては、段差床４１２の足部部材４１０は凹部４５６から移され、図３〜９に示されるように上部床４１４の一部を形成している。
　上部床の側部部分４１８，４２０，４２２，４２４，４２６，４２８は、寝床表面５５２が上部床４１４のすぐそばにあるために、寝床表面５５２の縁部の回りにより大きな固さを与える“固くされた”縁部を区画形成するためにマットレス５５０と協力している。この増加された固さが、人がベッドの側面に沿ってベッドに出入するときに、利点となる。
　加えて、固くされた縁部が、側部レールのわな（エントラップメント）の可能性を最小にするために側部レール組立体８００，８０２，８０４，８０６と協力する固い縁部を与え、その中に対象物が、寝床表面５５２と側部レール８０８，８１０，８１２，８１４との間にくさびを打ち込まれるようになる。また、段差床４１２は寝床表面５５２に対し高さを最大にするために側部レール組立体８００，８０２，８０４，８０６と協力し、図１３と１４に示されるようにその高さに側部レール８０８，８１０，８１２，８１４が取り付けられている。側部レール８０８，８１０，８１２，８１４の頂部は、寝床表面５５２上の人（図示されていない）の改善された保護範囲のための病人−抑止位置にある場合は、より高くでき、かつ底部８１４は、基台枠体６２と中間枠体３０の下の空間とに接近するのを改善するため折り込まれた位置にある場合は、より高くできる。
　頭部部材４０４は、図９に示されるように、すべりを減少した回動組立体６５０によって重量枠体５０６に連結されている。すべりを減少した回動組立体６５０は、床４０２の座部部材４０６と重量枠体５０６に対して頭部部材４０４を、頭部部材４０４の並進と回動の両者の動きのために重量枠体５０６に取り付ける。回動と並進の動きは、頭部部材４０４が下部床４３０より上にあるように配置され、上部床４１４に直接に隣接している有効な回動軸のまわりを重量枠体５０６に対し回動する動作を引き起こすために結合する。頭部部材４０４の動きによって引き起こされる人の背中と寝床表面５５２間のすべりは減少され、それによって人に対する寝床表面５５２のこすりも減少する。
　チェアーベッド５０は、看護者が寝床表面上５５２の人（図示されていない）の腰部（図示されていない）を正確に位置付けするのを助けるために、図１１〜１２に示されるように腰部回動の標６９４が設けられている。腰部回動の標６９４は、有効な回動軸と人の腰部が回動する軸（図示されていない）との間の間隔を最小にするであろう人の腰の位置を指示し、それによりすべりの減少した回動の有効性を最大にしている。頭部部材を動かすのことできる従来のベッドを使用している人に対する世話をする看護者は、典型的には頭部部材の回動の接合部で人の腰をベッドに置こうとする。チェアーベッド５０の身体部材の側部レール８０４，８０６上への腰部回動の標６９４の設置により、看護者が人の腰を寝床表面５５２にうまく置くことができるようにしている。
　頭部部材の側部レール８０８，８１０は、頭部部材４０４が図１０〜１２に示されるように重量枠体５０６に対して、降下位置と背部−支持位置との間で回動するに従い、頭部部材４０４と一緒に動くように取り付けられている。身体部材の側部レール８１２，８１４は、重量枠体５０６に取り付けられ、関節床４０２の頭部、大腿部及び足部部材４０４，４０８，４１０が動くときに、重量枠体５０６と座部部材４０６に対して動かない。頭部部材の側部レール８０８，８１０は、身体部材の側部レール８１２，８１４より短く、頭部部材４０４にのみ隣接して延びており、身体部材の側部レール８１２，８１４は、頭部と身体（座部と大腿部）部材４０４，４０６，４０８とに隣接して延びている。頭部部材と身体部材の両者の側部レール８０８，８１０，８１２，８１４は、図１０〜１２に示されるように、頭部部材４０４が背部−支持位置と降下位置との間を動くに従い、約２〜３インチ（５．１〜７．６ｃｍ）のレール間の間隙８６６を維持するように配置されている。
　加えて、頭部部材の側部レール８０８，８１０が短いということは、頭部部材の側部レール８０８，８１０が病人−抑止位置にあり、身体部材の側部レール８１２，８１４が折り込まれた位置にある場合において、人（図示されていない）が一方の側部からチェアーベッドに出入するのを支援するために、頭部部材の側部レール８０８，８１０を理想的に位置付けしている。この配置が、頭部部材の側部レール８０８，８１０を支援のために保持している一方で、寝床表面５５２上に座り、かつ寝床表面５５２から離れて回動するか又は寝床表面上へ回動することによって、人が出入するのをできるようにしており、それにより人は寝床表面５５２に沿って“急いで行く（スコート）”必要がない。また、身体部材の側部レール８１２，８１４上の腰部回動の標６９４は、側部５５４，５５６の一方からチェアーベッドに入った後に、チェアーベッド５０上の人の腰（図示されていない）の位置付けを最も効果的にするのを助けている。
　側部レール８０８，８１０，８１２，８１４は、図９，１３と１４に示されるように、チェアーベッド５０の両側部上に取り付けられた受動的な抑止装置である。図１３に示されるように上方に上げられた病人−抑止位置において、側部レール８０８，８１０，８１２，８１４は、マットレス５５０の側部５５４，５５６に隣接し、人が寝床表面５５２の側部５５４，５５６を越える動きを抑止するために寝床表面５５２より上に延びている垂直な柵であり、それにより人がチェアーベッド５０から転落するのを防いでいる。側部レール８０８，８１０，８１２，８１４は、チェアーベッド５０に出入する場合に人が寝床表面５５２の側部５５４，５５６を越えて動くことができるようにするために、マットレス５５０の寝床表面５５２より下の図１４に仮想線で示される折り込まれた位置へと低くすることもできる。側部レール８０８，８１０，８１２，８１４を低くすることはまた、看護者が病人に障害物がなく接近できるようにしている。
　各々の側部レール８０８，８１０，８１２，８１４を低くすることは、図１３と１４に示されるように解除ハンドル８６２を引くことによって行われる。解除ハンドル８６２を引いた後は、看護者は解除ハンドル８６２をはなし、側部レール８０８，８１０，８１２，８１４を下方に折り込まれた位置へと回動することができる。各々の側部レール８０８，８１０，８１２，８１４が下方に回動する速度は、機械的なダンパー８６８によってなるべくは調節される。側部レール８０８，８１０，８１２，８１４を上げるには、看護者は、それらが病人−抑止位置にロックされるまで、側部レール８０８，８１０，８１２，８１４を引き上げる。側部レール組立体８００，８０２，８０４，８０６は、図１３と１４に示されるように折り込まれた位置と病人−抑止位置との間の全ての位置で、側部レール８０８，８１０，８１２，８１４がチェアーベッド５０の側部にほぼ垂直かつ平行であるように配置される。
　側部レール組立体８００，８０２，８０４，８０６は、同様の構造物である。身体部材の側部レール組立体８０６に対して以下に記載される原則は、特にここでの記載で別に述べるまでは、各々の側部レール組立体８００，８０２，８０４，８０６に関係している。
　側部レール組立体８０６は、身体部材の側部レール８１４と、側部レールに設置している機構８１６と、図１３と１４に示されるように重量枠体５０６の側部５０８に設置機構８１６を結合している取付用ブラケット８１８とを含んでいる。取付用ブラケット８１８は上部床４１４より下にあるように配置され、図１３と１４に示されるように重量枠体５０６に取り付けられている。同様に、頭部部材の側部レール組立体８００，８０２は、頭部部材４０４の壁部４４２，４４４に結合され、身体部材の側部レール組立体８０４は、図９に示されるように重量枠体５０６の側部５０８に結合されている。
　取付用ブラケット８１８は、重量枠体５０６の壁５０８に取り付けられた垂直な支持壁部８２０と、図１３と１４に示されるようにこの支持壁部に取り付けられ、かつ重量枠体５０６に取り付けられた外方に延びている壁部８２２とを含んでいる。取付用ブラケット８１８の壁部８２２は、上部開口８２４と下部開口８２６とを含むように形成されている。側部レールに設置している機構８１６は、ほぼ垂直な方向に側部レール８１４を維持している間に、病人−抑止位置と折り込まれた位置との間を動くために、取付用ブラケット８１８に側部レール８１４を結合する平行四辺形に結合している機構である。側部レールに設置している機構８１６は、第１の端部８３４，８３６，８３８と第２の端部８４０，８４２，８４４とを有する３つの曲線状の平行棒８２８，８３０，８３２を含んでいる。曲線状の棒８３０は、曲線状の棒８２８，８３２間にあるように横に配置され、曲線状の棒８２８，８３２より上にあるように垂直に配置されている。ブラケット取付ピン８４８は、曲線状の棒８３０の第１の端部８３６に付けられ、壁部８２２の上部開口８２４に回転可能に受け入れられている。ブラケット取付ピン８４６，８５０は、曲線状の棒８２８，８３２の第１の端部８３４，８３８に付けられ、壁部８２２の下部開口８２６に回転可能に受け入れられている。曲線状の棒８２８，８３０，８３２は、重量枠体５０６に対して回動可能に取り付けられている。
　曲線状の棒８２８，８３０，８３２の各々は、側部レール８１４が図１３に示されるように病人−抑止位置にあるとき、上部床部材４２８の周囲及び上方に延びている第１部分と、上部床部材４２８より下で第１棒部分に対し横に延びている第２部分とを含んでいる。段差床４１２と結合した上昇回動と組み合わされたこの曲線状の構造体により、マットレス５５０の底部表面５８６より上に、側部レール８１４を上昇させることができ、一方側部５７８は最小の間隙で直接に隣接している。
　側部レール８１４は、図１３と１４に示されるように上部開口８５２と下部開口８５４とを含むように形成されてもいる。側部レール取付用ピン８５８は、曲線状の棒８３０の第２の端部８４２に付けられ、側部レール８１４の上部開口８５２に受け入れられている。側部レール取付用ピン８５６，８６０が、曲線状の棒８２８，８３２の第２の端部８４０，８４４に付けられ、側部レール８１４の下部開口８５４に受け入れられている。曲線状の棒８２８，８３０，８３２は側部レール８１４に対し回動可能に取り付けられている。取付用ブラケット８１８の上部と下部の開口８２４，８２６は、離れて間隔をあけられており、かつ側部レール８１４の上部と下部の開口８５２，８５４は等量離れて間隔をあけられており、それにより曲線状の棒８２８，８３０，８３２は、側部レール８１４と取付用ブラケット８１８との間で平行関係に位置付けされている。
　側部レール８１４は、こうして図１３に示されるマットレス５５０の側部５５６に隣接している持ち上げられた病人−抑止位置から、図１４（仮想線で示されている）に示される上部床４１４の部材４２８より下の折り込まれた位置まで回動できる。平行な曲線状の棒８２８，８３０，８３２が、側部レール８１４が病人−抑止位置と折り込まれた位置間で回動するに従い、側部レール８１４を段差床４１２の壁部４５２に対しほぼ平行に、かつ寝床表面５５２に対しほぼ垂直に保つために、取付用ブラケット８１８の上部と下部の開口８２４，８２６と側部レール８１４の上部と下部の開口８５２，８５４とに協力する。
　側部レール組立体８０６は、図１３に示されるように前方にラッチ掛けした位置と図１３（仮想線で示されている）に示されるように後方に解除した位置との間で動けるように、曲線状の棒８２８，８３２に回動可能に取り付けられた解除ハンドル８６２を含むラッチ機構８７０を含んでいる。加えて、ラッチ機構はリンク８７２とラッチ８７８とを含み、各々のリンクは解除ハンドル８６２に回動可能に結合された第１の端部８７４と、ラッチ８７８に回動可能に結合された第２の端部８７６とを有している。各々のラッチ８７８は、曲線状の棒８２８，８３２に回動可能に結合されている第１の端部８８０と、第１の端部８８０からは間隔があけられた第２の端部８８２と、第２の端部８８２に隣接したロッド把持凹部８８４と、ラッチ８７８の両端部８８０，８８２から離れ間隔をあけられたばね受入れ口８８６とを含むように形成されている。
　引張ばね８８８の各々は、図１３に示されるようにラッチ８７８のばね受入れ口８８６に結合された第１の端部８９０と、曲線状の棒８２８，８３２に固定されたブラケット８９４に結合された第２の端部８９２とを有している。解除ハンドル８６２が看護者によって外方に引かれたときに、解除ハンドル８６２は、リンク８７２を外方かつ上方に引っ張り、次にばね８８８のバイアスに抗してラッチ８７８を回動するためにラッチ８７８を上方に引っ張る。
　ロッド８９６は、取付用ブラケット８１８の壁部８２２に結合され、図１３に示されるように側部レール８１４が病人−抑止位置にあるときに、ロッド把持凹部８８４によって受け入れられるようになっており、それによりロッド８９６とラッチ８７８とは側部レール８１４を病人−抑止位置に抑えるために協力している。解除ハンドル８６２が図１３に仮想線で示されているように、外方に引かれたとき、ラッチ８７８はロッド８９６から解かれ、それにより図１４に示されるように側部レール８１４が下方に回動できるようになり、図１の側部レール８０８及び図１４（仮想線で示される）の側部レール８１４に示されるように、関節床４０２の上部床４１４より下の折り込まれた位置に到達するまで、側部レール８１４は回動される。
　側部レール８１４を上げる場合は、看護者は側部レール８１４を上方に病人−抑止位置まで回動するために、単に側部レール８１４を持ち上げさえすればよい。各々のラッチ８７８は、図１３と１４に示されるようにロッド８９６を係合するカム面８９８を有する第２の端部８８２を有している。側部レール８１４が病人−抑止位置の方に進むと、カム面８９８とロッド８９６とのカム係合が、ラッチ８７８をばね８８８のバイアスに抗して上方に回動するように強制する。ラッチ８７８は、側部レール８１４が病人−抑止位置に進むにつれて、ロッド８９６を乗り越えて、ロッド把持凹部８８４に隣接するようになる。それから、ばね８８８はロッド８９６をロッド把持凹部８８４にとどめるために、ラッチ８７８を下方に引っ張り、それにより側部レール８１４は病人−抑止位置に保持されるようになる。
　側部レール８１４は、マットレス５５０と側部レール８１４間の間隙を調節するために、側部レールに設置している機構８１６と協力している。側部レール８１４が、マットレス５５０の側部５５６に隣接するために側部５５６の方に、折り込まれた位置から病人−抑止位置まで上方に回動するので、マットレス５５０と側部レール８１４との間に形成される間隔は最小とされる。加えて、側部レール８１４は、側部レール８１４の底部８６４と上部床４１４の部材４２８との間隔を最小にするために、段差床４１２と協力しており、更に受動的な抑止としての側部レール８１４の有効性を最大にしている。加えて、側部レールに設置している機構８１６は、側部レール８１４が病人−抑止位置から折り込まれた位置まで回動するときに、一段階の解除及び自動折り込み動作とを提供している。
　各々の側部レール組立体８００，８０２，８０４，８０６は、折り込まれた位置と病人−抑止位置と間で側部レール８０８，８１０，８１２，８１４を動かすために前述した側部レール組立体８０６と同様の方法で作動する。頭部部材の側部レール８０８，８１０は、折り込まれた位置からほぼ垂直下方に延びている。後述する降下−脱落方向位置まで動く、分離側部レール９２０を付加的に与えられている。
　分離側部レール９２０は、図１５に示されるように中間枠体３０２より下のチェアーベッド５０に障害物がなく接近できるようにし、かつＣ−アーム上に取り付けられた設備のために中間枠体３０２より下に障害物がなく接近できるようにもするために、看護者が、ほぼ水平の折り込まれた位置からほぼ垂直下方に延びている降下−脱落位置まで側部レール集合体を動かすことができるようにしている。分離側部レール９２０は、チェアーベッド５０の側部から離れて降下−脱落位置へと側部レールを動かすこと、及びより深くＣ−アームを挿入するために側部レールに隣接するチェアーベッド５０の部材の幅を狭くすることとによって、このことを達成している。
　チェアーベッド５０が分離側部レール９２０を与えられる場合、頭部部材の上部床の側部部分４１８，４２０は、図１５に示されるように平行な床部材９２２，９２４を含んでいる。各々の平行な床部材９２２，９２４は、ヒンジ９２６，９２８によって上部床の側部部分４１８，４２０に回動可能に取り付けられる。各々の平行な床部材９２２，９２４は、例えば図１５の平行な床部材９２４によって示されるような上昇位置と、例えば図１５の平行な床部材９２２によって示されるようなほぼ垂直下方に延びている降下−脱落位置との間を揺動できる。好ましくは、ヒンジ９２６，９２８は平行な床部材９２２，９２４と頭部端５２に結合されており、それにより平行な床部材９２２，９２４が降下−脱落位置にある場合に、平行な床部材９２２，９２４はチェアーベッド５０の頭部端５２に隣接する。各々の平行な床部材９２２，９２４は、上部床の側部部分４１８，４２０の開口（図示されていない）と平行な床部材９２２，９２４の開口９３２とによって受け入れられるように配置されたピン９３０によって、上昇位置にロックされる。
　取付用ブラケット８１８は平行な床部材９２２に固定され、それと一緒に動くように配置されており、それにより側部レール８０８，８１０は、平行な床部材９２２，９２４が上昇位置と図１５に示されるような下降−脱落位置との間を動くとき、ほぼ水平な折り込まれた位置とほぼ垂直下方に延びている下降−脱落位置との間を揺動する。もし望むなら、頭部薄板４３２は、Ｘ線を透過する放射線半透過材料より作られる放射線半透過性部分５１０を含むこともできる。放射線半透過性部分５１０は、好ましくは平行な頭部床部材９２２，９２４に横に隣接している。Ｃ−アーム上に設けられた設備の使用を含む処置のための使用にチェアーベッド５０を用意している場合のような、看護者が頭部部材の側部レール８０８，８１０を降下−脱落位置へ動かしたいときは、看護者は、中間枠体３０２を上昇位置に上げ、当該の頭部部材の側部レール８０８，８１０を折り込まれた位置に回動し、ピン９３０を平行な床部材９２２，９２４の開口９３２と上部床の側部部分４１８，４２０の開口（図示されていない）とから動かし、側部レール８０８，８１０を折り込まれた位置から降下−脱落位置まで揺動する。平行な床部材９２２，９２４が降下−脱落位置にある場合は、頭部部材の側部レール８０８，８１０が降下−脱落位置に動かされるときに、床４０２より上及び下の螢光透視設備（図示されていない）に対して近づくことができるように、側部レール８０８，８１０は放射線半透過性部分５１０から縦軸方向に移動される。
　加えて側部レール８０８，８１０，８１２，８１４は、例えば図１６〜１８に示されるように角度指示器９３８が設けられる。頭部部材の側部レール８０８，８１０は、床４０２の頭部部材４０４の角度方向をほぼ指示する、図１６に示されるような指示器９３８を含み、身体部材の側部レールは、基台枠体６２に対する中間枠体３０２の角度方向をほぼ指示する、図１８に示されるような角度指示器９３８を含んでいる。このように身体部材の側部レール８１２，８１４上の角度指示器９３８は、ときどき傾斜（トレンデレンブルグ）指示器又は傾き（トレンド）指示器として言われている。側部レール８０８，８１０，８１２，８１４上への角度指示器の取付は、角度指示器９３８を目だたせており、それにより看護者はチェアーベッド５０の状態を早く、簡単に判断できる。
　各々の角度指示器９３８は、図１７に示されるように側部レール８０８，８１０，８１２，８１４に形成された後部壁９４４と側部レール８０８，８１０，８１２，８１４に結合された前部壁９４６とによって区画形成された内部の区域９４２を有する筐体９４０を含んでいる。指示器部材９４８が、側部レール８０８，８１０，８１２，８１４と角度指示器９３８が変化するに従って、筐体９４０に対し内部の区域内を動くように内部の区域９４２によって受け入れられている。筐体９４０に対する指示器部材９４８の位置が、角度指示器９３８の角度方向を指示している。後部壁９４４が図１６に示されるように側部レール８０８，８１０，８１２，８１４の面をアーチ状に横断するように筐体９４０が形成され、指示器部材９４８が球状であり、アーチ状の後部壁９４４上に置かれ、角度指示器９３８の角度方向が変るにつれ、それに沿って動くように配置されている。
　好ましくは、指示器部材９４８は、筐体９４０の前部壁９４６を通して見ることができる指示器表面９５０を含んでいる。筐体９４０に対し静止した目盛９５２が、前部壁９４６に隣接して配置され、それにより目盛９５２と指示器部材９４８とが、筐体９４０に対し指示器部材９４８の位置を指示するのに協力し、こうして側部レール８０８，８１０，８１２，８１４の角度方向を指示する。
　頭部部材の側部レール８０８，８１０に取り付けられた角度指示器９３８は、側部レール８０８，８１０の頭部端５２の方に配置された第１端部９５４と、側部レール８０８，８１０の足部端５４の方に配置され、図１６に示されるように第１端部９５４よりは垂直に高く配置された第２端部９５６とを含んでいる。頭部部材４０４が降下位置にある場合に、図１６に示されるように指示器部材９４８は第１端部９５４の方にある。頭部部材４０４が降下位置から背部−支持位置へと動く場合に、指示器部材９４８は第１端部９５４から第２端部９５６の方へと動く。指示器部材９４８は、筐体９４０に対し第１端部９５４と第２端部９５６間でああゆる位置をとることが可能であり、指示器部材９４８の位置は、降下位置と背部−支持位置間の頭部部材４０４の位置に対応している。
　身体部材の側部レール８１２，８１４に取り付けられた角度指示器９３８は、第１と第２の端部９５４，９５６とが図１８に示されるようにほぼ同じ平面上にあるように配置されているのを除いて、頭部部材の側部レール８０８，７６０上の角度指示器９３８と実質的に同一である。中間枠体３０２がほぼ水平である場合、身体部材の側部レール８１２，８１４はほぼ水平であり、指示器部材９４８は第１端部９５４と第２端部９５６のほぼ中間にあるように配置されている。中間枠体３０２が傾斜位置に動く場合、身体部材の側部レール８１２，８１４と角度指示器９３８とは、指示器部材が筐体９４０の第１端部９５４の方に動くように動く。中間枠体３０２が逆の傾斜位置へ動く場合、身体部材の側部レール８１２，８１４と角度指示器９３８とは、指示器部材が筐体９４０の第２端部９５６の方に動くように動く。指示器部材９４８は筐体９４０に対し第１端部９５４と第２端部９５６間であらゆる位置をとることができ、指示器部材９４８の位置は、傾斜位置と逆の傾斜位置と間の中間枠体３０２の位置に対応している。
　その代りに、角度指示器は、液体を充填した球部型の気泡のアルコール水準器を形成するために液体を充填された筐体を有するアルコール水準器でもよい。そのようなアルコール水準器においては、筐体に対する気泡の位置が、アルコール水準器の角度方向の変化につれて変り、筐体に対しての気泡の位置がアルコール水準器の角度方向を指示している。
　加えて、側部レール８０８，８１０，８１２，８１４には、ベッド５０を作動させ、ベッド５０を様々な位置に動かすための操作装置が設けられる。操作装置は、図１９と２０に示されるように寝床表面５５０上の人（図示されていない）が使用するために、側部レール９６０のベッド側上にある操作ボタン９６０を含んでいる。典型的には、人の頭は寝床表面５５０の頭部端５２上で支えられるであろう。人を寝床表面上に収容させ、かつ人が操作ボタン９６０をたやすく見つけて、見ることができるようにするために、操作ボタン９６０は、図１９と２０に示されるように床４０２の頭部端５２の方に向けられて角度を付けられており、それによりボタン９６０の面９６１は床４０２の頭部端５２の方を向いている。ベッド５０には、以下に述べるようにベッド５０の外側にいる人によって使用されるために、側部レールの外側に第２の複数の操作ボタン（図示されていない）もまた提供される。
　側部レール８１２は、病人−抑止位置と折り込まれた位置と間で動くように床４０２の側部に連結されている。ディスプレイスクリーン９６４を有するパッド９６２が、看護者によって使用されるために、図１８と２１に示されるようにベッド５０の外側の側部レール８１２の側面に設けられる。好ましくはパッド９６２は、図２１に示されるようにディスプレイスクリーン９６４を楽に見られ、外方に回動できるように側部レール８１２に取り付けられる。例えば、パッド９６２は、側部レール８１２の外側の取り付けられ、パッド９６２の頂部に隣接する回動軸９６６のまわりを上方に回動できるように配置されている。パッド９６２のこの動きが、側部レール８１２が折り込まれた位置にある場合でさえも、ベッド５０の隣りに立っている人がディスプレイスクリーン９６２を特に楽に見ることができるようにしている。
　本発明は好ましい実施の形態を参照にして詳細に説明されているが、変更及び修正は、請求の範囲に記載され、定められているように本発明の範囲及び精神内にある。